(57)【要約】  本発明は、複数の巻取り箇所（１.１〜１.４）を備えた、複数の糸をボビンに巻き取るための巻取り機に関する。複数の巻取り箇所（１.１〜１.４）は、片持ち式に保持された少なくとも１つの巻取りスピンドル（６.１）に沿って互いに並んで配置されており、このとき糸走路においてそれぞれの巻取り箇所の上流には、ヘッド糸ガイド（３.１〜３.４）が配置されている。ヘッド糸ガイド（３.１〜３.４）には、巻取り箇所（１.１〜１.４）のそばで側部に配置されている少なくとも１つのゴデット（１１）が対応配置されていて、該ゴデット（１１）は、巻取りスピンドル（６.１）に対して横方向に方向付けられている。プロセス開始時に糸をヘッド糸ガイド（３.１〜３.４）に挿通するために、互いに並んで形成された複数のガイド溝（１６.１〜１６.４）を備えた挿通糸ガイド（１６）を有する補助装置（１４）が設けられている。挿通糸ガイド（１６）は、駆動手段（１９）によってガイド軌道（１７）においてヘッド糸ガイド（３.１〜３.４）に沿って案内され、ガイド軌道（１７）は、少なくとも１つの供給軌道（１７.１）および１つの戻り軌道（１７.２）を有している。挿通糸ガイド（１６）を確実に案内するために、ヘッド糸ガイド（３.１〜３.４）の上における供給軌道（１７.１）とヘッド糸ガイド（３.１〜３.４）の下における戻り軌道（１７.２）とは、本発明によれば挿通糸ガイドの、鉛直に方向付けられたガイド平面（２２）内に配置されており、このとき挿通糸ガイド（１６）のガイド平面（２２）とヘッド糸ガイド（３.１〜３.４）の一列線との間において、１°〜１５°の範囲における角度が形成されている。
2020505290.tif 000002
【特許請求の範囲】
【請求項１】
複数の糸をボビンに巻き取るための巻取り機であって、片持ち式に保持された少なくとも１つの巻取りスピンドル（６．１）に沿って相並んで配置されている複数の巻取り箇所（１.１〜１.４）と、糸走路において前記巻取り箇所（１.１〜１.４）の上流に配置された複数のヘッド糸ガイド（３.１〜３.４）と、前記巻取り箇所（１.１〜１.４）のそばで側部に配置されている少なくとも１つのゴデット（１１）であって、前記巻取りスピンドル（６.１）に対して横方向に方向付けられていてかつ前記糸走路において前記ヘッド糸ガイド（３.１〜３.４）の上流に配置されたゴデット（１１）と、前記ヘッド糸ガイド（３.１〜３.４）に前記糸を挿通するための補助装置（１４）とが設けられており、前記補助装置（１４）は、相並んで形成された複数のガイド溝（１６.１〜１６.４）を備えた挿通糸ガイド（１６）を有しており、前記挿通糸ガイド（１６）は、駆動手段（１９）によってガイド軌道（１７）において案内可能であり、かつ前記ガイド軌道（１７）は、前記ヘッド糸ガイド（３.１〜３.４）に沿って延びていて、かつ供給軌道（１７.１）および戻り軌道（１７.２）を有している、巻取り機において、
前記ヘッド糸ガイド（３.１〜３.４）の上における前記供給軌道（１７.１）と前記ヘッド糸ガイド（３.１〜３.４）の下における前記戻り軌道（１７.２）とは、前記挿通糸ガイド（１６）の、鉛直に方向付けられたガイド平面（２２）を形成しており、かつ前記挿通糸ガイド（１６）の前記ガイド平面（２２）と前記ヘッド糸ガイド（３.１〜３.４）の一列線（２１）との間に、１°〜１５°の範囲の角度αが形成されている
ことを特徴とする、巻取り機。
【請求項２】
前記挿通糸ガイド（１６）の前記ガイド溝（１６.１〜１６.４）は、前記ガイド平面（２２）に対して平行に方向付けられている、
請求項１記載の巻取り機。
【請求項３】
前記挿通糸ガイド（１６）は、自由回転可能に支持されたガイドローラ（２５）によって形成されていて、該ガイドローラ（２５）の軸線が、前記ガイド平面（２２）に対して垂直に方向付けられている、
請求項２記載の巻取り機。
【請求項４】
前記供給軌道（１７.１）と前記戻り軌道（１７.２）とは、挿通端部（２３）において、前記挿通糸ガイド（１６）を下降させるための横軌道（１７.３）によって互いに接続されている、
請求項１から３までのいずれか１項記載の巻取り機。
【請求項５】
前記ガイド軌道（１７）は、それ自体閉じており、かつ前記挿通糸ガイド（１６）は、前記糸を挿通するために前記ガイド軌道（１７）の周りを循環するように案内可能である、
請求項４記載の巻取り機。
【請求項６】
前記ガイド軌道（１７）は、ガイドレール（１８）と、前記ガイドレール（１８）において案内されるガイドキャリッジ（２４）とによって形成されており、前記挿通糸ガイド（１６）は、前記ガイドキャリッジ（２４）に保持されている、
請求項５記載の巻取り機。
【請求項７】
前記駆動手段（１９）は、前記ガイドキャリッジ（２４）に結合されたリニア駆動装置（２０）によって形成されている、
請求項６記載の巻取り機。
【請求項８】
前記挿通糸ガイド（１６）の前記ガイド平面（２２）と前記ヘッド糸ガイド（３.１，３.４）の前記一列線（２１）との間の前記角度（α）は、前記ゴデット（１１）における前記糸の糸間隔の総和と、前記ヘッド糸ガイド（３.１〜３.４）の間における間隔の総和との間の関係によって確定可能である、
請求項１から７までのいずれか１項記載の巻取り機。
【請求項９】
前記ゴデット（１１）と前記ヘッド糸ガイド（３.１〜３.４）とは、最初の糸（２.１）または最後の糸（２.４）が前記ゴデット（１１）の周囲において前記ヘッド糸ガイド（３.１〜３.４）の前記一列線（２２）に対して平行に案内されるように、互いに配置されている、
請求項１から８までのいずれか１項記載の巻取り機。
【請求項１０】
前記ヘッド糸ガイド（３.１〜３.４）は、回転可能に支持された変向ローラ（１３.１〜１３.４）によって形成されていて、該変向ローラ（１３.１〜１３.４）は、前記糸を案内するために周囲にそれぞれ１つの開放した糸走行溝（２６）を有している、
請求項１から９までのいずれか１項記載の巻取り機。
【発明の詳細な説明】
【技術分野】
【０００１】
本発明は、請求項１の上位概念部に記載の、複数の糸をボビンに巻き取るための巻取り機に関する。
【０００２】
溶融紡糸プロセスにおいて、糸群として製造された糸は、プロセスの最後において互いに平行にボビンに巻き取られる。そのために複数の巻取り箇所を備えた巻取り機が使用され、巻取り箇所は、機械フレームにおいて片持ち式に保持された巻取りスピンドルに沿って形成されている。巻取りスピンドルは、複数のボビンを収容するために働き、これによってこれらのボビンを同時に巻成することができる。糸の巻重ねは、いわゆる綾巻きにおいて行われるので、巻取り箇所内においてそれぞれ糸は個々に、綾振りユニットを用いて、ボビン表面への乗上げ前に往復案内される。巻取り箇所における糸群の供給および分離は、複数のいわゆるヘッド糸ガイドを介して行われ、これらのヘッド糸ガイドは、巻取り箇所においてそれぞれ綾振りユニットの上流に配置されている。このとき糸群は、通常ゴデットを介してヘッド糸ガイドに供給される。
【０００３】
プロセス開始時に糸群の糸を巻取り機の巻取り箇所に挿通できるようにするために、従来技術では基本的に巻取り機の２つの変化形態が公知である。例えば国際公開第２００８／１３８８２７号（WO 2008/138827 A2）に開示されている第１の変化形態では、糸を挿通するための追加的な補助装置が不要になっている。このような巻取り機では、巻取り機の糸ガイドエレメントまたはゴデット自体が、糸を仕掛けるためおよび分配するための相対運動を実施するために使用される。
【０００４】
巻取り機の第２の変化形態では、ヘッド糸ガイドに糸を案内するためおよび挿通するための補助装置が使用される。本発明の出発点であるこのような巻取り機は、例えば国際公開第９８／２８２１７号（WO 98/28217 A2）または欧州特許出願公開第２４９７７３２号明細書（EP 2497732 A2）に基づいて公知である。このような公知の巻取り機では、補助装置は、相並んで形成された複数のガイド溝を備えた可動の挿通糸ガイドを有している。挿通糸ガイドは、プロセス開始時にサクションガンによって案内された糸を収容し、かつガイド軌道に沿った移動によって個別化し、かつヘッド糸ガイドに引き渡すために使用される。
【０００５】
国際公開第９８／２８２１７号に基づいて公知の巻取り機では、補助装置は、階段形状に形成されたガイド溝を備えた挿通糸ガイドを使用している。これによって糸を異なった高さで挿通糸ガイドにおいて案内することができる。このとき糸は直線的に、複数のヘッド糸ガイドのそばを通過案内され、これらのヘッド糸ガイドは、異なった高さに配置されていて、これによって糸の引受けおよび個別化を可能にする。しかしながらこの巻取り機には、ヘッド糸ガイドが異なった高さを有していて、ひいては巻取り箇所において異なった綾振り特性を惹起するという欠点がある。
【０００６】
これに対して欧州特許出願公開第２４９７７３２号明細書に基づいて公知の巻取り機では、糸群を引き受けるためのガイド溝が同じ高さに配置されている挿通糸ガイドが使用される。ヘッド糸ガイドへの糸の個別化および引受けのために、挿通糸ガイドは、供給軌道と戻り軌道とを備えた傾けられたガイド軌道において案内され、このとき挿通糸ガイドがヘッド糸ガイドに対して相対的に軸方向においても移動するようになっている。しかしながらこのような傾けられたガイド軌道は、ガイド手段の引っ掛かりおよび傾倒を惹起する傾向があり、したがって極めて故障しやすい。
【０００７】
本発明の課題は、プロセス開始後に糸を挿通するための補助装置を備えた、冒頭に述べた形式の巻取り機を改良して、糸を挿通糸ガイドの単純な移動動作でヘッド糸ガイドに分配することができるようにすることである。
【０００８】
この課題を解決する本発明の構成では、ヘッド糸ガイドの上における供給軌道とヘッド糸ガイドの下における戻り軌道とは、挿通糸ガイドの、鉛直に方向付けられたガイド平面を形成しており、かつ挿通糸ガイドのガイド平面とヘッド糸ガイドの一列線（全てのヘッド糸ガイドを通る直線）との間において、１°〜１５°の範囲における角度が形成されている。
【０００９】
本発明の好適な発展形態は、従属請求項の特徴および特徴の組合せによって定義されている。
【００１０】
本発明は、補助装置の挿通糸ガイドが、糸群を引き受けるためおよびヘッド糸ガイドへの糸群の分配のために、２つの方向における直線移動によって案内可能である、という特別な利点を有している。これによって迅速かつ再現可能な挿通動作を実施することができる。挿通糸ガイドのガイド平面がヘッド糸ガイドの一列線に対して角度を成して配置されていることによって、ヘッド糸ガイドの間における任意の間隔を橋渡しすることができ、これによって、挿通糸ガイドにおいて案内される糸群の選択的な分配を行うことができる。糸の変位を制限するために、１°〜１５°の範囲における角度が好適であるということが判明している。
【００１１】
特にヘッド糸ガイドへの糸の引渡し時における位置決め精度を改善するために、本発明の特に好適な発展形態では、挿通糸ガイドのガイド溝は、ガイド平面に対して平行に方向付けられている。このように構成されていると、糸を互いに一定の間隔で挿通糸ガイドにおいて案内することができる。
【００１２】
このとき特に好適であることが判明している発展形態では、挿通糸ガイドは、自由回転可能に支持されたガイドローラによって形成されていて、該ガイドローラの軸線が、ガイド平面に対して垂直に方向付けられている。このように構成されていると、糸群内における比較的多数の糸をも、ガイド軌道の比較的長い区間にわたって確実に案内することができる。さらに、糸群を比較的大きな糸張力なしに挿通過程中および案内中に挿通糸ガイドにおいて確実に収容するために、汎用のサクションガンを使用することができる。
【００１３】
挿通糸ガイドの連続的な移動経過を得るために、さらに別の発展形態では、供給軌道と戻り軌道とは、挿通端部において、挿通糸ガイドを下降させるための横軌道によって互いに接続されている。
【００１４】
このとき特に良好であることが判明している、本発明の発展形態によれば、ガイド軌道は、それ自体閉じており、かつ挿通糸ガイドは、糸を挿通するためにガイド軌道の周りを循環するように案内可能である。このように構成されていると、糸の分配時における高い再現可能性を得ることができる。挿通糸ガイドは、それぞれのプロセス開始時にガイド軌道内において連続的にまたは段階的に、糸を捕捉および分配するための異なった位置に導かれることができる。
【００１５】
案内軌道における挿通糸ガイドの経路が機械フレームに対して可能な限り一定の関係で行われ得るようにするために、さらに別の発展形態では、ガイド軌道は、ガイドレールと、ガイドレールにおいて案内されるガイドキャリッジとによって形成されており、このとき挿通糸ガイドは、ガイドキャリッジに保持されている。挿通糸ガイドのガイド軌道を実現するためのこのような機械式の装置は、さらに、駆動手段の接続が簡単な形式で可能であるという特別な利点を有している。したがって駆動手段を好ましくはリニア駆動装置によって形成することができ、このリニア駆動装置は、ガイドキャリッジに結合されていて、かつガイドキャリッジをガイドレール内において移動させる。
【００１６】
ゴデットの周囲における糸の糸間隔およびヘッド糸ガイドの間における間隔が、ガイド軌道とヘッド糸ガイドの一列線との間における角度の大きさに影響を及ぼすということが判明している。したがって挿通の動作のために最適化された角度を、ヘッド糸ガイドの間における間隔の総和に対する、ゴデットにおける糸の糸間隔の総和の関係から求めることができる。
【００１７】
ゴデットとヘッド糸ガイドとの間における糸の同様な変位を得るために、本発明の発展形態では、ゴデットとヘッド糸ガイドとは、最初の糸または最後の糸がゴデットの周囲においてヘッド糸ガイドの一列線に対して平行に案内されるように、互いに配置されている。
【００１８】
そのために好ましくは、ヘッド糸ガイドは、回転可能に支持された変向ローラによって形成されていて、該変向ローラは、糸を案内するために周囲にそれぞれ１つの開放した糸走行溝を有している。このように構成されていると、一方ではヘッド糸ガイド内への糸の挿通が容易になり、かつ他方では仕掛け動作中における糸摩擦が最小になる。
【００１９】
次に添付の図面を参照しながら本発明に係る巻取り機について詳説する。
【図面の簡単な説明】
【００２０】
【図１】本発明に係る巻取り機の１実施形態を概略的に示す側面図である。
【図２】図１に示された巻取り機に組み込まれた補助装置を概略的に示す平面図である。
【図３】図２に示された補助装置を概略的に示す側面図である。
【図４．１】図２に示された補助装置の１つの作動状況を概略的に示す平面図である。
【図４．２】図２に示された補助装置の別の作動状況を概略的に示す平面図である。
【図４．３】図２に示された補助装置のさらに別の作動状況を概略的に示す平面図である。
【図５．１】図２に示された補助装置の１つの作動状況を概略的に示す側面図である。
【図５．２】図２に示された補助装置の別の作動状況を概略的に示す側面図である。
【図５．３】図２に示された補助装置のさらに別の作動状況を概略的に示す側面図である。
【００２１】
図１には、本発明に係る巻取り機の１実施形態が概略的に側面図で示されている。本発明に係る巻取り機は、本実施形態では、機械フレームに互いに並んで形成されている全部で４つの巻取り箇所１.１〜１.４を有している。これらの巻取り箇所１.１〜１.４は、片持ち式に保持された巻取りスピンドル６.１に沿って配置されている。巻取り箇所１.１〜１.４のそれぞれにおいて、糸群２のそれぞれ１つの糸が供給され、ボビン８に巻き取られる。このとき巻取り箇所１.１〜１.４の数および糸群２の糸２.１〜２.４の数は、一例である。基本的にこのような巻取り機は、１６までの巻取り箇所を相並んで有することができる。
【００２２】
巻取り箇所１.１〜１.４の構造は、同一に形成されているので、基本的な構造については、巻取り箇所のうちの１つの巻取り箇所１.１を参照して記載する。
【００２３】
巻取り箇所１.１は、綾振りユニット４を有しており、この綾振りユニット４によって、供給された糸２.１は綾振り行程内において往復案内される。綾振りユニット４は、例えば、綾振り糸ガイドが綾振り行程内において往復案内されるようになっている反転ねじ軸式綾振り装置（Kehrgewindewellenchangierung）によって形成されていても、または糸を引っ張りながら往復案内する、互いに逆向きに駆動される複数のベーン先端を備えたベーン式綾振り装置（Fluegelchangierung）によって形成されていてもよい。綾振りユニット４の上流には、ヘッド糸ガイド３.１が配置されており、このヘッド糸ガイド３.１は、綾振り平面内におけるいわゆる綾振り三角形の先端を形成している。これによってヘッド糸ガイド３.１は、巻取り箇所１.１への走入部を形成している。
【００２４】
巻取り箇所１.１において糸２.１を巻き取るために、巻管９が、駆動される巻取りスピンドル６.１の周囲に緊締されている。このとき巻取りスピンドル６.１は、隣接したすべての巻取り箇所１.１，１.２，１.３，１.４にわたって延びているので、巻取り箇所１.１〜１.４のそれぞれにおいて、供給された糸２.１〜２.４は同時に巻き取られる。
【００２５】
巻取り箇所１.１においてボビン８の表面に糸２.１を仕掛けるために、圧着ローラ５が設けられている。圧着ローラ５は、同様に巻取り箇所１.１〜１.４の全長にわたって延びている。糸２.１は、圧着ローラ５の周囲における部分巻掛けの後でボビン８の表面に仕掛けられる。
【００２６】
機械フレーム１０は、綾振りユニット４、圧着ローラ５、および巻取りスピンドル６.１を収容しかつ固定するために役立つ。巻取りスピンドル６.１は、ボビンタレット７において片持ち式に支持されており、このボビンタレット７は、機械フレーム１０に回転可能に保持されている。ボビンタレット７は、巻取りスピンドル６.１に対して１８０°ずらされて第２の巻取りスピンドル６.２を保持しており、これによって巻取り箇所１.１〜１.４における糸の連続的な巻取りを実施することができる。ボビンタレット７および巻取りスピンドル６.１，６.２には、それぞれ駆動装置（ここでは図示せず）が対応配置されている。
【００２７】
巻取り箇所１.１〜１.４のヘッド糸ガイド３.１〜３.４はそれぞれ、自由回転可能に支持された変向ローラ１３.１〜１３.４によって形成されており、これらの変向ローラ１３.１〜１３.４は、回転可能に支持されてローラ保持体２７に保持されている。変向ローラ１３.１〜１３.４は、その周囲にそれぞれ１つの開放した糸走行溝２６を有しており、これらの糸走行溝２６内において、糸２.１〜２.４のそれぞれ１つが、部分巻掛けされて案内されている。
【００２８】
糸走路においてヘッド糸ガイド３.１〜３.４の上流には、ゴデット１１が配置されている。ゴデット１１は、ゴデット保持体１２に保持され、かつここで図示されていない駆動装置に連結されている。ゴデット保持体１２は、巻取り箇所１.１〜１.４のそばで側部において、巻取りスピンドル６.１の片持ち式の端部に保持されている。このときゴデット保持体１２は、機械フレーム１０に支持されていてよい。
【００２９】
ゴデット１１と巻取り箇所１.１〜１.４の綾振りユニット４との間には、ヘッド糸ガイド内に糸を挿通するための補助装置１４が配置されている。補助装置１４は、可動の挿通糸ガイド１６を有しており、この挿通糸ガイド１６は、ガイド軌道１７において案内可能である。ガイド軌道１７は、巻取り箇所１.１〜１.４に沿って延びている。補助装置１４についてさらに説明するために、以下においては図２および図３を参照する。図２には、巻取り機の補助装置１４が概略的に平面図で示されており、かつ図３には、巻取り機の補助装置１４が概略的に側面図で示されている。
【００３０】
したがって図面のうちの１つを特に参照しない場合には、以下の記載は両図に対するものである。
【００３１】
挿通糸ガイド１６は、本実施形態では、自由回転可能に支持されたガイドローラ２５によって形成されている。ガイドローラ２５は、その周囲に複数の環状のガイド溝１６.１〜１６.４を有している。このときガイド溝１６.１〜１６.４の数は、糸群２の糸２.１〜２.４の数と同一である。ガイドローラ２５は、鉛直に方向付けられたガイド平面２２に位置しているガイド軌道１７において案内されている。
【００３２】
ガイド軌道１７について説明するために、図３を参照する。ガイド軌道１７は、複数の部分から形成されている。第１のガイド部分は、ヘッド糸ガイド３.１〜３.４の上に位置している。このガイド部分は、本明細書では供給軌道１７.１と呼ばれている。ガイド軌道１７の、ヘッド糸ガイド３.１〜３.４の下に設けられた別の部分は、戻り軌道１７.２と呼ばれている。供給軌道１７.１と戻り軌道１７.２とは、挿通端部２３において横軌道１７.３を介して互いに接続されている。反対側に位置している端部において供給軌道１７.１と戻り軌道１７.２とは、別の横軌道１７.４を介して互いに接続されており、これによって閉鎖されたガイド軌道１７が形成されている。
【００３３】
供給軌道１７.１および戻り軌道１７.２は、挿通糸ガイド１６のガイド平面２２に配置されている。そのためにガイド軌道１７は、ガイドレール装置１８内に形成されており、このときガイドキャリッジ２４が挿通糸ガイド１６を保持している。ガイドキャリッジ２４は、リニア駆動装置２０に連結されている。これによってガイドレール装置１８、ガイドキャリッジ２４、およびリニア駆動装置２０は、設けられたガイド軌道１７において挿通糸ガイド１６を案内する駆動手段１９を構成している。ここで強調して述べておくと、本実施形態における駆動手段１９の構成は一例である。基本的には、設けられたガイド軌道１７において挿通糸ガイド１６移動させるためには、他の装置も可能である。
【００３４】
図２における図示から分かるように、ガイド溝１６.１〜１６.４を備えたガイドローラ２５は、ガイド平面２２に対して垂直に方向付けられている。ガイド溝１６.１〜１６.４は、ガイド平面２２に対して平行に延びていて、かつ好ましくは糸間隔を有しており、この糸間隔は、ゴデット１１の周囲における糸２.１〜２.４の糸間隔に等しく相当している。ガイドレール装置１８は、挿通糸ガイド１６が供給軌道１７.１においてはヘッド糸ガイド３.１〜３.４の上において、かつ戻り軌道１７.２においてはヘッド糸ガイド３.１〜３.４の下において案内可能であるように、変向ローラ１３.１〜１３.４のローラ保持体２７のそばに配置されている。
【００３５】
ヘッド糸ガイド３.１〜３.４もしくは変向ローラ１３.１〜１３.４は、一平面に配置されており、このときヘッド糸ガイド３.１〜３.４の一列線２１（全てのヘッド糸ガイド３.１〜３.４を通る直線）とガイド平面２２との間には角度αが形成されている。これによってガイドレール装置１８は、角度αだけ傾けられた傾斜位置でローラ保持体２７に対応配置されている。角度αは、ゴデット１１の周囲における糸間隔の総和と、ヘッド糸ガイド３.１〜３.４の間における間隔の総和とによって決定的に確定される。通常、角度αは、１°〜最大１５°の範囲にある。それよりも大きな傾斜角は、糸の変位が許容可能な範囲を超過してしまうので、回避される。
【００３６】
本発明に係る巻取り機は、図１において作動状態で示されている。したがって補助装置１４は、図１〜図３における図示においては休止位置にある。糸２.１〜２.４がボビン８に連続的に巻き取られる、巻取り機の通常作動中に、挿通糸ガイド１６は、戻り軌道１７.２の端部における下側の休止位置において保持される。
【００３７】
ヘッド糸ガイド３.１〜３.４に糸を挿通するための補助装置１４の機能を説明するために、以下においては、図４.１〜図４.３および図５.１〜図５.３を参照する。図４.１〜図４.３には、補助装置１４の異なった作動状況が平面図で示されており、かつ図５.１〜図５.３には、補助装置１４の異なった作動状況が側面図で示されている。
【００３８】
プロセス開始時に糸群２は、上流に配置されたプロセスユニットおよび図示されたゴデット１１に仕掛けるために、サクションガン１５によって案内される。このときサクションガン１５は、手動で操作員によって案内されても、または自動化されてロボットによって案内されてもよい。糸群２がゴデット１１に仕掛けられた後で、糸はサクションガン１５によって補助装置１４に供給される。糸群２の糸を巻取り箇所１.１〜１.４に分配するために、補助装置１４のリニア駆動装置２０が作動させられる。このとき挿通糸ガイド１６は、戻り軌道１７.２におけるその休止位置から案内され、かつ横軌道１７.４を介して供給軌道１７.１に引き渡される。このとき糸２.１〜２.４は、ガイドローラ２５の周囲におけるガイド溝１６.１〜１６.４によって捕捉される。ガイドローラ２５は、供給軌道１７.１において案内されたガイドキャリッジ２４を介して挿通端部２３に案内され、かつ次いで横軌道１７.３を介して戻り軌道１７.２に導かれる。このときガイドキャリッジ２４の移動は、リニア駆動装置２０によって段階的に行われても、または連続的に行われてもよい。このとき糸群２はまずヘッド糸ガイド３.１〜３.４の上に案内される。ガイドローラ２５から走出する糸は、サクションガン１５によってヘッド糸ガイド３.１〜３.４から離されて保持され、これによって供給軌道１７.１から戻り軌道１７.２への移行時におけるガイドローラ２５の下降によって、糸群２はガイドローラ２５によってヘッド糸ガイド３.１〜３.４の下に案内されている。これによってガイドキャリッジ２４の戻り行程時に、糸は次々とヘッド糸ガイド３.１〜３.４に分配されて引き渡される。それぞれ１つの開放した糸走行溝２６を備えた変向ローラ１３.１〜１３.４としてヘッド糸ガイド３.１〜３.４を形成することによって、挿通糸ガイド１６の移動だけによる糸の自動的な引渡しが可能である。糸２.１〜２.４の分配および分離は、図４.３および図５.３に示されている。図示された状況において挿通糸ガイド１６は、戻り軌道１７.２においてその破線で示された休止位置に戻り移動する。糸２.４，２.３は既に変向ローラ１３.４，１３.３に引き渡されている。戻り軌道１７.２における挿通糸ガイド１６の進行する移動時に、糸２.２，２.１もまた同様に、そのために設けられた変向ローラ１３.２，１３.１に引き渡される。これによって巻取り機の巻取り箇所１.１〜１.４への糸群の分離が終了する。ここでは図示されていない別の補助装置によって、糸群は、巻管における捕捉および巻付けのために巻取りスピンドルに引き渡される。
【図１】
2020505290.tif 000003
【図２】
2020505290.tif 000004
【図３】
2020505290.tif 000005
【図４．１】
2020505290.tif 000006
【図４．２】
2020505290.tif 000007
【図４．３】
2020505290.tif 000008
【図５．１】
2020505290.tif 000009
【図５．２】
2020505290.tif 000010
【図５．３】
2020505290.tif 000011
【国際調査報告】
2020505290.tif 000012
2020505290.tif 000013
2020505290.tif 000014
2020505290.tif 000015